(57)【特許請求の範囲】
【請求項１】
モーターによって駆動されるプランジャーが、シリンダー内で１回転しながら１往復する動作を繰り返して、流体の吸入と吐出を行う印刷機用ポンプにおいて、
基台と、
基台に取付けられ、主穴、主穴内面の主穴の中心線と平行な線上に離隔して開口する第１吸入穴及び第２吸入穴、並びに主穴内面の主穴の中心線と平行な他の線上に離隔して開口する第１吐出穴及び第２吐出穴を有し、両端を主穴閉塞手段にて閉塞して両端部に第１、第２のシリンダー室を構成可能にし、かつ前記基台とは別体構成で、基台に設けたシリンダー用穴に嵌め合わされ固定されるシリンダーと、
シリンダーの主穴に回転可能にかつ軸方向移動可能に嵌め合わされるとともにそれぞれの端面が前記シリンダー室に対向する大径部及びこの大径部の少なくとも一端に設けられて対応する主穴閉塞手段を貫通する小径部を有し、大径部に、主穴に嵌め合わされた状態で主穴内面とともに第１シリンダー室に通じる空間を形成する第１切欠きと主穴内面とともに第２シリンダー室に通じる空間を形成する第２切欠きを有し、ある回転位相ではすべての吸入穴と吐出穴を同時に閉塞し、他の回転位相では第１吸入穴と第２吐出穴を閉塞しかつ第１吐出穴を第１切欠きで開放するとともに第２吸入穴を第２切欠きで開放するか、または第１吐出穴と第２吸入穴を同時に閉塞しかつ第１吸入穴を第１切欠きで開放するとともに第２吐出穴を第２切欠きで開放することが可能なプランジャーと、
出力軸の回転中心線が、プランジャーの回転中心線と所定の角度で交わるように基台に取付けられたモーターと、
モーターの出力軸に固定されかつモーターの出力軸の回転中心線と略平行に突出するアーム、アームに固定された球面軸受の内輪穴に軸方向移動可能に嵌め合わされかつプランジャーの小径部に固定されてアームとプランジャーとを連結する連結部材とからなる伝動機構とを有し、
前記前記基台とは別体構成のシリンダーの外周部に第１吸入穴と第２吸入穴を連通する共通吸入溝と、第１吐出穴と第２吐出穴を連通する共通吐出溝とを設け、共通吸入溝を基台に設けた吸入通路に連通し、共通吐出溝を基台に設けた吐出通路に連通したことを特徴とする印刷機用ポンプ。
【発明の詳細な説明】
【０００１】
【発明の属する技術分野】
この発明は、モーターによってプランジャーを回転させながらシリンダー内で往復動させるポンプに関し、例えばオフセット印刷機においてインキ供給用として使用する印刷機用ポンプに関する。
【０００２】
【従来の技術】
印刷機用ポンプとしては、従来から多くの公知例があり、モーターによって駆動されるプランジャーが、シリンダー内の主穴内を１回転しながら１往復する動作を繰り返して、流体の吸入と吐出を行う印刷機用ポンプは、例えば、特許第２８６４４４７号公報及び特許第３０９５７４４号公報に示されるものがある。
【０００３】
これら各公報に示されるポンプは、プランジャーがシリンダー内の主穴内を１回転しながら１往復する間に、流体の吸入と吐出を１回ずつ行うように構成されている。すなわち、プランジャーが１８０度回転して一方向に移動する間に流体を吸入し、プランジャーが引き続いて１８０度回転して逆方向に移動する間に流体を吐出するようになっている。
【０００４】
【発明が解決しようとする課題】
前記のように、特許第２８６４４４７号公報及び特許第３０９５７４４号公報に示されるポンプは、流体の吐出動作が流体の吸入動作を挟んで間欠的に行われるものであるため、例えばインキ供給用のポンプとして使用した場合には、インキ供給が間欠的となり、ポンプがインキ吐出すると印刷画像が濃くなり、インキ吸入の間に印刷画像が徐々に薄くなって次のインキ吐出直前には最も薄くなり、当該次のインキ吐出が行われると、印刷画像が再度濃くなる印刷が繰り返される。すなわち、印刷濃度が安定せず、印刷依頼主の印刷品質要求に十分対応できない場合が少なくなく、また、印刷図柄によっては、濃過ぎる印刷物を発生させたり、薄過ぎる印刷物を発生させて、商品にならない損紙を多数出す場合があった。
【０００５】
この発明は、回転しながら往復動するプランジャーが一方向に移動する間に流体の吸入と吐出とが並行して行われ、かつプランジャーが引き続いて逆方向に移動する間にも同様に流体の吸入と吐出とが並行して行われるようにし、流体の吐出停止をプランジャーの移動方向の変わる時のみとし、例えばインキ供給用のポンプとして使用した場合でも、インキ吸入の間に印刷画像が徐々に薄くなるのを防止し、比較的印刷濃度が安定した印刷が可能であるようにインキ供給をできるようにした、印刷機用ポンプを提供することを目的としている。
【０００６】
【課題を解決するための手段】
前記目的を達成するために、この発明に係る印刷機用ポンプは、モーターによって駆動されるプランジャーが、シリンダー内で１回転しながら１往復する動作を繰り返して、流体の吸入と吐出を行う印刷機用ポンプにおいて、基台と、基台に取付けられ、主穴、主穴内面の主穴の中心線と平行な線上に離隔して開口する第１吸入穴及び第２吸入穴、並びに主穴内面の主穴の中心線と平行な他の線上に離隔して開口する第１吐出穴及び第２吐出穴を有し、両端を主穴閉塞手段にて閉塞して両端部に第１、第２のシリンダー室を構成可能にし、かつ前記基台とは別体構成で、基台に設けたシリンダー用穴に嵌め合わされ固定されるシリンダーと、シリンダーの主穴に回転可能にかつ軸方向移動可能に嵌め合わされるとともにそれぞれの端面が前記シリンダー室に対向する大径部及びこの大径部の少なくとも一端に設けられて対応する主穴閉塞手段を貫通する小径部を有し、大径部に、主穴に嵌め合わされた状態で主穴内面とともに第１シリンダー室に通じる空間を形成する第１切欠きと主穴内面とともに第２シリンダー室に通じる空間を形成する第２切欠きを有し、ある回転位相ではすべての吸入穴と吐出穴を同時に閉塞し、他の回転位相では第１吸入穴と第２吐出穴を閉塞しかつ第１吐出穴を第１切欠きで開放するとともに第２吸入穴を第２切欠きで開放するか、または第１吐出穴と第２吸入穴を同時に閉塞しかつ第１吸入穴を第１切欠きで開放するとともに第２吐出穴を第２切欠きで開放することが可能なプランジャーと、出力軸の回転中心線が、プランジャーの回転中心線と所定の角度で交わるように基台に取付けられたモーターとモーターの出力軸に固定されかつモーターの出力軸の回転中心線と略平行に突出するアーム、アームに固定された球面軸受の内輪穴に軸方向移動可能に嵌め合わされかつプランジャーの小径部に固定されてアームとプランジャーとを連結する連結部材とからなる伝動機構とを有し、前記前記基台とは別体構成のシリンダーの外周部に第１吸入穴と第２吸入穴を連通する共通吸入溝と、第１吐出穴と第２吐出穴を連通する共通吐出溝とを設け、共通吸入溝を基台に設けた吸入通路に連通し、共通吐出溝を基台に設けた吐出通路に連通した構成になっている。
【０００７】
【作  用】
モーターが回転することにより、伝動機構を介してプランジャーが回転しながら往復動され、このプランジャーの往復動によりシリンダーの両端部に構成されたシリンダー室の容積が増減される。
【０００８】
そしてこのプランジャーの作動において、このプランジャーの大径部にてすべての吸入穴と吐出穴が閉塞している状態から回転しながら第２シリンダー室側へ移動すると、これにより第１切欠きが第１吸入穴に、また第２切欠きが第２吐出穴に対向して、容積が増加する第１シリンダー室へは第１切欠きを介して第１吸入穴から流体が吸入され、容積が減少する第２シリンダー室内の流体が第２切欠きを介して第２吐出穴から吐出される。
【０００９】
一方、大径部にてすべての吸入穴と吐出穴が閉塞している状態から回転しながら第１シリンダー室側へ移動すると、これにより第１切欠きが第１吐出穴に、また第２切欠きが第２吸入穴に対向して、容積が減少する第１シリンダー室内の流体が第１切欠きを介して第１吐出穴から吐出され、容積が増加する第２シリンダー室へは第２切欠きを介して第２吸入穴から流体が吸入される。
【００１０】
このように、プランジャーの往動と復動の双方において流体の吸入及び吐出が行われる。そしてこの作用時において、プランジャーの往復動によってシリンダーに設けられた第１吸入穴及び第２吸入穴へ交互に吸入される流体は、シリンダーの外周部に設けられた共通吸入溝を介して基台に設けられた吸入通路より吸入され、またプランジャーの往復動によってシリンダーに設けられた第１吐出穴及び第２吐出穴から吐出される流体はシリンダーの外周部に設けられた共通吐出溝を介して基台に設けられた吐出通路より吐出される。
【００１１】
【発明の実施の形態】
この発明の実施の形態を図面に基づいて説明する。図１は、図２のＡ−Ａ線に沿う断面矢視図、図２は、８個のポンプＰを基台に組み込んだインキ供給用ポンプユニットＰＵを示す平面図、図３乃至図１４は、図１で示す印刷機用ポンプの動作説明用の模式図である。
【００１２】
図１、図２において、ポンプＰは、中空部を有する一体のブロック状の基台１の中空部を挟んだ一方側に設けたシリンダー用穴１０に、この基台１とは別体構成になっているシリンダー２が常時嵌め合わされ固定されており、このシリンダー２の主穴２５に往復動及び回転可能にプランジャー３が嵌め合わされ挿入された構成になっている。
【００１３】
シリンダー２の主穴２５の内面には、この主穴２５の中心線ＣＬ２方向に離隔する一方の位置に中心線ＣＬ２に対して円周方向に１８０゜ずらせて第１吸入穴２６と第１吐出穴２８が、また他方の位置に、中心線ＣＬ２に対して円周方向に１８０゜ずらせて第２吸入穴２７と第２吐出穴２９が、それぞれ主穴２５の中心線ＣＬ２を通る平面内に位置するように設けてある。
【００１４】
前記第１吸入穴２６と第２吸入穴２７は、主穴２５の中心線ＣＬ２と平行な主穴内面の線上に開口しており、また、第１吐出穴２８と第２吐出穴２９は、主穴２５の中心線ＣＬ２と平行な他の線上に開口されている。
【００１５】
第１吸入穴２６と第２吸入穴２７は、シリンダー２の外周部に設けた共通吸入溝Ｕ１にて通じており、また第１吐出穴２８と第２吐出穴２９は、シリンダー２の外周部に設けた共通吐出溝Ｕ２にて通じている。そして共通吸入溝Ｕ１は、基台１に設けられた吸入通路１１を介して、流体供給源であるインキタンク（図示せず）と配管連結され、共通吐出溝Ｕ２は、基台１に設けられた吐出通路１２を介して、流体供給先であるインキレール（図示せず）に配管連結されている。
【００１６】
プランジャー３は、シリンダー２の主穴２５と中心線ＣＬ２を共有した状態で、この主穴２５に回転可能に、かつ軸方向移動可能に嵌め合わされる大径部と、この大径部の両端に同軸上に同径にして設けた小径部とを有している。
【００１７】
プランジャー３の大径部の長さＤ１は、前記したシリンダー２の主穴２５の中心線ＣＬ２方向に離隔する一方に設けた第１吸入穴２６及び第１吐出穴２８と、他方に設けた第２吸入穴２７及び第２吐出穴２９の中心線ＣＬ２方向の最外側開口縁間距離Ｄ２より、このプランジャー３の後述するストロークＬ分を越える長さ以上に長くなっている。
【００１８】
そしてこのプランジャー３の大径部の軸方向両側に、それぞれの端部に連らなる第１、第２の切欠き３２と３３が中心線ＣＬ２に対して円周方向に１８０゜ずらせて設けてある。この各切欠き３２、３３の長さは、プランジャー３のストローク範囲にわたってシリンダー２の吸入穴２６と吐出口２８、及び吸入口２７と吐出口２９と重複する長さになっている。
【００１９】
プランジャー３が嵌め合わされた状態でシリンダー２の主穴２５の両端には、プランジャー３の両端に設けられた小径部が貫通する穴が設けられた主穴閉塞手段２０、２０がねじ結合により取付けられている。そしてこの主穴閉塞手段２０、２０の締付け用頭の下面にシリンダー２の端面と密着可能にシールするＯリング２１が取付けられており、また、前記小径部が貫通する穴は、一端部に段状の大径穴が形成され、この部分に前記小径部の外周に密着可能にしたシール２４が装填され、このシール２４が軸方向に抜けないように、シール２４との間にシム２３を挟んで穴用止め輪２２が取付けられている。
【００２０】
プランジャー３の大径部の軸方向の一端の端面と一方の主穴閉塞部材２０との間に第１シリンダー室Ｓ１が、また大径部の他端の端面と他方の主穴閉塞部材２０との間に第２シリンダー室Ｓ２が形成されている。
【００２１】
基台１の中空部を挟んだ他方側には、可変速モーター４が、その出力軸４０の回転中心線ＣＬ１とシリンダー２の主穴２５に嵌め合わされているプランジャー３の回転中心線ＣＬ２とが、所定の交差角θで交わるように中空部側に出力軸４０を突出させて基台１に固定されている。この発明の実施の形態では、可変速モーター４は、入力されたパルス信号に対応して駆動されるステッピングモーターである。
【００２２】
前記基台１の中空部の空間には、可変速モーター４の回転によってプランジャー３を回転及び往復させる伝動機構５が設けられている。伝動機構５は、可変速モーター４の出力軸４０に基部が固定され、作用部が出力軸４０の回転中心線ＣＬ１に略平行に、かつ主穴２５に嵌め合わされているプランジャー３の一端部（以下、後端部とする）から離れた位置に突出するアーム５０と、アーム５０の先端部側とプランジャー３の後端部側とを連結する連結部材５１とを有している。
【００２３】
連結部材５１は、その軸線ＣＬ３がプランジャー３の回転中心線ＣＬ２と常時所定角（図示の実施の形態では直角）に交わる状態で、一方側がプランジャー３に固定され、他方側がアーム５０の作用部に設けられた球面軸受５２の内輪穴に移動可能に取付けられ、球面軸受５２を介してアーム５０に対する連結角度を変化し得るように連結されている。
【００２４】
そして、可変速モーター４が駆動されてこの出力軸４０が回転すると、これに固定されたアーム５０がプランジャー３の周囲を回転し、連結部材５１を介してプランジャー３が回転される。このとき、連結部材５１の軸線ＣＬ３と出力軸４０の回転中心線ＣＬ１との交角が角α（最小）から角β（最大）の範囲で変化し、角αのときにプランジャー３を可変速モーター４から最も遠い位置（最遠点）に押しやり、角βのときにプランジャー３を可変速モーター４に最も近い位置（最近点）に引き寄せる作用をなし、これにより、可変速モーター４の１回転によりプランジャー３がストロークＬにわたって往復動される。
【００２５】
そして、このプランジャー３の往復動により、シリンダー２の両端部と主穴閉塞手段２０、２０とプランジャー３の大径部と小径部との段部によって構成される第１、第２のシリンダー室Ｓ１、Ｓ２の容積が増減される。
【００２６】
プランジャー３の回転角及びストロークと、プランジャー３に設けた切欠き３２、３３、さらに、第１、第２の吸入穴２６、２７、第１、第２の吐出穴２８、２９との位置関係は次のようになっている。
【００２７】
すなわち、プランジャー３が図１に示した最近点と、この状態から１／２回転して最遠点にある状態では、各切欠き３２、３３は各吸入穴２６、２７、吐出穴２８、２９に対向せず、この最近点から最遠点間にわたって矢印Ａ方向（反時計方向）に回転しながら移動する間に、プランジャー３の第１切欠き３２は、第１吸入穴２６に対向してこれを第１切欠き３２を介して最近側のシリンダー室Ｓ１に通じるとともに、第２切欠き３３は、第２吐出穴２９に対向してこれを第２切欠き３３を介して最遠側のシリンダー室Ｓ２に通じる。そして１／２回転した状態で再び各吸入穴２６、２７、吐出穴２８、２９は大径部によって閉塞される。
【００２８】
プランジャー３がさらに１／２回転して最遠点から最近点間にわたって移動する間に、プランジャー３の第１切欠き３２は第１吐出穴２８に対向してこれを第１切欠き３２を介して最近側のシリンダー室Ｓ１に通じるとともに、第２切欠き３３は、第２吸入穴２７に対向してこれを最遠側のシリンダー室Ｓ２に通じ、その後全ての穴２６、２７、２８、２９が大径部にて閉塞される。
【００２９】
また、伝動機構５を設けるための空間には、例えば図１に二点鎖線で示すように、アーム５０の回転領域に臨ませて、アーム５０を検出する検出手段１３を設けることも可能である。図示の実施形態では、アーム５０が近接位置に達したのを検出して信号出力する近接スイッチである。
【００３０】
以上説明したポンプＰは、単数又は複数組み合わせて使用され、複数の場合は、図２に示すようにポンプユニットＰＵとして用いられる。
【００３１】
以上の記載の構成における作用を図１及び図３乃至図１４を参照して説明する。なお、この説明において、プランジャー３が図１に示す最近点にある状態を回転方向の基点０度とし、この位置から矢印Ａ方向に回転するものとする。
【００３２】
図３は、図４における第１吸入穴２６及び第１吐出穴２８のＢ−Ｂ矢視断面図であり、図４は、プランジャー３の連結部材５１の基点０度からみて９０度の回転位相にあるときを示し、第１切欠き３２の第１吸入穴２６からの吸入行程と第２切欠き３３の第２吐出穴２９からの吐出行程の関係を表した斜視図であり、図５は、図４における共通吸入溝Ｕ１、第２吸入穴２７、第２吐出穴２９及び共通吐出溝Ｕ２のＣ−Ｃ矢視断面図である。
【００３３】
図６は、図７における第１吸入穴２６及び第１吐出穴２８のＢ−Ｂ矢視断面図であり、図７は、プランジャー３の連結部材５１の基点０度からみて１８０度の回転位相にあるときを示し、第１吸入穴２６、第２吸入穴２７、第１吐出穴２８、第２吐出穴２９のいずれもが同時に閉塞されている関係を表した斜視図であり、図８は、図７における共通吸入溝Ｕ１、第２吸入穴２７、第２吐出穴２９及び共通吐出溝Ｕ２のＣ−Ｃ矢視断面図である。
【００３４】
図９は、図１０における第１吸入穴２６及び第１吐出穴２８のＢ−Ｂ矢視断面図であり、図１０は、プランジャー３の連結部材５１の基点０度から２７０度への回転位相にあるときを示し、第１切欠き３２の第１吐出穴２８からの吐出行程と第２切欠き３３の第２吸入穴２７からの吸入行程の関係を表した斜視図であり、図１１は、図１０における共通吸入溝Ｕ１、第２吸入穴２７、第２吐出穴２９及び共通吐出溝Ｕ２のＣ−Ｃ矢視断面図である。
【００３５】
図１２は、図１３における第１吸入穴２６及び第１吐出穴２８のＢ−Ｂ矢視断面図であり、図１３は、プランジャー３の連結部材５１の基点０度の回転位相にあるときを示し、第１吸入穴２６、第２吸入穴２７、第１吐出穴２８、第２吐出穴２９のいずれもが同時に閉塞されている関係を表した斜視図であり、図１４は、図１３における共通吸入溝Ｕ１、第２吸入穴２７、第２吐出穴２９及び共通吐出溝Ｕ２のＣ−Ｃ矢視断面図である。
【００３６】
例えば図１に実線で示した状態で、図示しないモータードライバーを介して可変速モーター４を作動させ、その出力軸４０を矢印Ａの向きに回転させ、アーム５０を回転させる。すると、まず、連結部材５１が、球面軸受５２を介してアーム５０との連結部でその連結角度を変化させつつその軸線ＣＬ３と平行に移動して変位し、実線で示す位置から二点鎖線で示す位置まで更に、二点鎖線で示す位置から実線で示す位置まで変位する。この変位に従って、プランジャー３は、シリンダー２の主穴２５の中で１回転しつつ主穴２５にそってプランジャー３の先端部３０に向かって変位量Ｌだけ直線変位し、更にプランジャー３の後端部３１に向かって変位量Ｌだけ直線変位する。
【００３７】
すなわち、プランジャー３が最近点にあるときに、プランジャー３の切欠かれていない外周面部分が第１吸入穴２６、第２吸入穴２７、第１吐出穴２８、第２吐出穴２９のすべてを閉塞する（図１２〜１４参照）。プランジャー３が回転しつつ最近点を離れてプランジャー３の先端部３０の方向に移動すると、第１切欠き３２が第１吸入穴２６に通じるとともに最近側のシリンダー室Ｓ１の容積が増加してインキを吸入する。同時に、第２切欠き３３が第２吐出穴２９に通じるとともに最遠側のシリンダー室Ｓ２の容積が減少してインキを吐出する。また、この間、第２吸入穴２７と第１吐出穴２８は、閉塞されたままである（図３〜５参照）。そして、プランジャー３が最遠点に達すると、プランジャー３の切欠かれていない外周面部分が、再度第１吸入穴２６、第２吸入穴２７、第１吐出穴２８、第２吐出穴２９のすべてを閉塞する（図６〜８参照）。
【００３８】
プランジャー３が更に回転しつつ最遠点を離れてプランジャー３の後端部３１の方向に移動すると、第１切欠き３２が第１吐出穴２８に通じるとともに最近側のシリンダー室Ｓ１の容積が減少してインキを吐出し、同時に第２切欠き３３が第２吸入穴２７に通じるとともに最遠側のシリンダー室Ｓ２の容積が増加してインキを吸入する。また、この間、第１吸入穴２６と第２吐出穴２９は、閉塞されたままである（図９〜１１参照）。そして、プランジャー３が最近点に達すると、プランジャー３の切欠かれていない外周面部分が、再度第１吸入穴２６、第２吸入穴２７、第１吐出穴２８、第２吐出穴２９のすべてを閉塞し（図１２〜１４参照）、ポンプＰの動作の１サイクルが終了する。
【００３９】
つまり、ポンプＰは、プランジャー３の１８０度回転ごとに第１吸入穴２６と第２吸入穴２７とから交互にインキシリンダー２の主穴２５内にインキを吸入し、かつ、同様に、プランジャー３の１８０度回転ごとに第１吐出穴２８と第２吐出穴２９とから交互にインキシリンダー２の主穴２５内のインキを吐出する。このとき、第１吸入穴２６と第２吸入穴２７とから交互に吸入される流体はシリンダー２の外周部に設けられた共通吸入溝Ｕ１を介して基台１に設けられた吸入通路１１より吸入され、また、第１吐出穴２８と第２吐出穴２９とから交互に吐出される流体はシリンダー２の外周部に設けられた共通吐出溝Ｕ２を介して基台１に設けられた吐出通路１２より吐出される。
【００４０】
このプランジャー３の回転に伴う往復動によるインキの吸入と吐出の際に、主穴用閉塞手段２０のＯリング２１が主穴２５と主穴用閉塞手段２０との連結部からのインキの漏れを防止し、シール２４がプランジャー３と主穴用閉塞手段２０との接触部からのインキの漏れを防止する。
【００４１】
なお、図示の実施の形態では、プランジャー３の両端に同径の小径部を設け、主穴用閉塞手段２０から突出させることにより、第１吐出穴２８と第２吐出穴２９からのインキの吐出量が同量となるようにしているが、第１吐出穴２８と第２吐出穴２９からのインキの吐出量が若干相違することを許容できるときは、プランジャー３の先端側小径部をなくすとともに、プランジャー３の先端側に対応する主穴用閉塞手段をプラグ（図示せず）に変更してもよく、また、両側の小径部の径を変えてもよい。
【００４２】
本発明は、以上記載の実施の形態に局限されるものではなく、特許請求の範囲を逸脱しない設計上の改変を含むものである。
【００４３】
【発明の効果】
この発明により以下の効果がある。この発明は、プランジャーが１８０度回転して一方向に移動する間に流体の吸入と吐出とを並行し、かつプランジャーが引き続いて１８０度回転して逆方向に移動する間にも同様に流体の吸入と吐出とを並行するようにしたため、流体の吐出停止をプランジャーの移動方向の変わるときのみとし、例えばインキ供給用のポンプとして使用した場合でも、インキ吸入の間に印刷画像が徐々に薄くなるのを防止し、また、印刷図柄に適切に対応できるため、濃過ぎる印刷物や薄過ぎる印刷物の発生を防ぐことができ、すなわち、印刷濃度を安定させ、印刷依頼主の印刷品質要求に十分対応できるようなインキ供給ができる。
【図面の簡単な説明】
【図１】この発明の印刷機用ポンプの１つの実施形態を示す図２のＡ−Ａ断面に沿う拡大断面矢視図である。
【図２】この発明の実施形態を示す、８個のポンプを基台に組み込んだインキ供給用ポンプユニットの平面図である。
【図３】この発明の実施形態を示す図４における第１吸入穴及び第１吐出穴のＢ−Ｂ矢視断面図である。
【図４】プランジャーの連結部材の基点０度からみて９０度の回転位相にあるときを示し、第１切欠きの第１吸入穴からの吸入行程と第２切欠きの第２吐出穴からの吐出行程の関係を表した斜視図である。
【図５】図４における共通吸入溝、第２吸入穴、第２吐出穴及び共通吐出溝のＣ−Ｃ矢視断面図である。
【図６】図７における第１吸入穴及び第１吐出穴のＢ−Ｂ矢視断面図である。
【図７】プランジャーの連結部材が基点０度からみて１８０度の回転位相にあるときを示し、第１吸入穴、第２吸入穴、第１吐出穴、第２吐出穴のいずれもが同時に閉塞されている関係を表した斜視図である。
【図８】図７における共通吸入溝、第２吸入穴、第２吐出穴及び共通吐出溝のＣ−Ｃ矢視断面図である。
【図９】図１０における第１吸入穴及び第１吐出穴のＢ−Ｂ矢視断面図である。
【図１０】プランジャーの連結部材が基点０度から２７０度への回転位相にあるときを示し、第１切欠きの第１吐出穴からの吐出行程と第２切欠きの第２吸入穴からの吸入行程の関係を表した斜視図である。
【図１１】図１０における共通吸入溝、第２吸入穴、第２吐出穴及び共通吐出溝のＣ−Ｃ矢視断面図である。
【図１２】図１３における第１吸入穴及び第１吐出穴のＢ−Ｂ矢視断面図である。
【図１３】プランジャーの連結部材が基点０度の回転位相にあるときを示し、第１吸入穴、第２吸入穴、第１吐出穴、第２吐出穴のいずれもが同時に閉塞されている関係を表した斜視図である。
【図１４】図１３における共通吸入溝、第２吸入穴、第２吐出穴及び共通吐出溝のＣ−Ｃ矢視断面図である。
【符号の説明】
Ｐ…ポンプ、ＰＵ…ポンプユニット、ＣＬ１…可変速モーター出力軸の回転中心線、ＣＬ２…プランジャーの回転中心線、ＣＬ３…連結部材の回転中心線、Ｕ１…共通吸入溝、Ｕ２…共通吐出溝、Ｓ１…第１シリンダー室、Ｓ２…第２シリンダー室、１…基台、２…シリンダー、３…プランジャー、４…可変速モーター、５…伝動機構、１０…シリンダー用穴、１１…吸入通路、１２…吐出通路、１３…検出手段、２０…主穴閉塞手段、２１…Ｏリング、２２…穴用止め輪、２３…シム、２４…シール部材、２５…主穴、２６…第１吸入穴、２７…第２吸入穴、２８…第１吐出穴、２９…第２吐出穴、３０…先端部、３１…後端部、３２…第１切欠き、３３…第２切欠き、４０…出力軸、５０…アーム、５１…連結部材、５２…球面軸受。
【図１】
0003562511.tif 000002
【図２】
0003562511.tif 000003
【図３】
0003562511.tif 000004
【図４】
0003562511.tif 000005
【図５】
0003562511.tif 000006
【図６】
0003562511.tif 000007
【図７】
0003562511.tif 000008
【図８】
0003562511.tif 000009
【図９】
0003562511.tif 000010
【図１０】
0003562511.tif 000011
【図１１】
0003562511.tif 000012
【図１２】
0003562511.tif 000013
【図１３】
0003562511.tif 000014
【図１４】
0003562511.tif 000015